(57)【特許請求の範囲】
【請求項１】
（ａ）  ループパイルのパイル織物によって筒状に構成され、筒状空洞にクッション品（１１）を挿入して使用されるクッション品装飾保護カバーであり、
（ｂ）  筒状空洞の左右の端部において弾性糸（１２）が緯糸として筒状空洞を包囲する方向に向けて一直線状に織込まれており、筒状空洞を包囲する方向に伸縮自在な弾性部（１３・２３）が筒状空洞の左右の端部に形成されており、
（ｃ）  弾性部（１３・２３）に隣合う部分に筒状空洞を包囲する方向に向けて一直線状に非弾性糸（１４）が緯糸として織込まれており、その非弾性糸（１４）が弾性部（１３・２３）に隣合った非弾性部（１５・２５）を形成しており、
（ｄ）  非弾性糸が筒状空洞を貫通する方向に続く経糸（２１）として緯糸に直交して織込まれており、
（ｅ）  隣合う非弾性部（１５・２５）と弾性部（１３・２３）の間で織組織が連続しており、
（ｆ）  筒状空洞を貫通する方向に続く非弾性糸に成る経糸（２１）の一部がループパイル（１８）を形成しており、
（ｇ）  筒状空洞を貫通する方向に続く経糸（２１）のループパイル（１８）が弾性部（１３）に突出しており、
（ｈ）  緯糸の長さ方向における弾性部（１３）の弾性伸縮率が非弾性部（１５）の弾性伸縮率の５倍以上であり、
（ｉ）  筒状空洞を包囲する方向における非弾性部（１５・２５）と弾性部（１３・２３）との収縮差によって非弾性部（１５・２５）に皺襞（１６）が均一に形成されており、
（ｊ）  弾性糸が元の長さを回復して非弾性部に皺襞が発生したパイル織物の無緊張状態における非弾性部（１５）の寸法（Ｈ）が弾性部（１３）の寸法（Ｄ）の１．７倍〜２．３倍であり、
（ｋ）  収縮して弾性部（１３）に発生した小皺がループパイル（１８）に覆われており、
（ｌ）  非弾性部（１５・２５）が無パイルの織地になっているクッション品装飾保護カバー。
【請求項２】
（ｍ）  非弾性部（１５）が弾性部（１３）の外側に形成されており、その非弾性部（１５）によって筒状空洞の端縁が縁取られており、その非弾性部（１５）の皺襞（１６）が筒状空洞の端縁を縁取るフリル（１７）を構成している前掲請求項１に記載のクッション品装飾保護カバー。
【請求項３】
（ｎ）  筒状空洞の左右の端部の弾性部（１３）と弾性部（１３）の間に、筒状空洞を包囲する方向に向けて一直線状に非弾性糸（１４）が織込まれた中間非弾性部（２５）が形成されている前掲請求項１と請求項２の何れかに記載のクッション品装飾保護カバー。
【請求項４】
（ｏ）  筒状空洞の左右の端部の弾性部（１３）と弾性部（１３）の間に、筒状空洞を包囲する方向に向けて一直線状に非弾性糸（１４）が織込まれた中間非弾性部（２５）と、筒状空洞を包囲する方向に向けて一直線状に弾性糸（１２）が織込まれた中間弾性部（２３）が、筒状空洞を貫通する方向に交互に平行に並んで形成されており、弾性部（１３・２３）と非弾性部（１５・２５）が平行に並んだストライプ模様が描出されている前掲請求項１と請求項２の何れかに記載のクッション品装飾保護カバー。
【発明の詳細な説明】
【技術分野】
【０００１】
本発明は、袋状カバーに粒体や発泡体、繊維ウエブ（綿）等を填料を挿填し、概して矩形に縁取られた立体形状に構成され、ベッドやソファーに置いて枕や座布団、肘掛け、背凭れ等として体を載せて使用され、総じてクッションと称されるクッション性身の回り品（以下、クッション品と言う。）を被覆して装飾保護するため使用されるクッション品装飾保護カバーに関するものである。
【背景技術】
【０００２】
この種の装飾保護カバーには、バスタオルや手拭いのように１枚の布帛によって構成され、クッション品に被せて使用されるもの、布帛によって筒状に構成され、その筒状空洞にクッション品を挿入して使用されるもの、布帛によって袋状に構成されたもの等がある。１枚の布帛によって構成された装飾保護カバーとしては、布帛をクッション品のサイズに合わせて縫製し、四隅に三角形状の差込袋を設け、クッション品に被せ、その差込袋にクッション品の四隅を差し込んで使用するようにしたものが知られている（例えば、特許文献１参照）。袋状に構成された装飾保護カバーとしては、クッション品を挿入する挿入口の周縁にファスナーを取り付けたものが知られている（例えば、特許文献２と３参照）。
【特許文献１】特開平８−２９９１４２号公報（図１）
【特許文献２】特開２００３−３８３２２号公報（図１と図３）
【特許文献３】特開２００３−３２５２９３号公報（図１）
【発明の開示】
【発明が解決しようとする課題】
【０００３】
１枚の布帛で構成された装飾保護カバーは、クッション品から外れ易く、クッション品を使用する度に装飾保護カバーをクッション品に被せ直さなければならず、その使用に手間取る。筒状装飾保護カバーでは、クッション品に密着して使用中にズレ動かないようにように、クッション品に密着するサイズに構成されているので、その筒状空洞にクッション品を挿入し難く、その付け替えに手間取る。袋状装飾保護カバーでは、クッション品との間の僅かな寸法差によって見苦しい弛み皺や引きつり皺が生じ易く、クッション品のサイズに合わせて綺麗に縫製するのに手間取る。そして何れのタイプの装飾保護カバーでも、使用中に擦られて次第に伸び、又、洗濯によって少なからず収縮・弛緩し、クッション品との寸法差による弛み皺や引きつり皺が発生し易い。
【０００４】
そこで本発明は、クッション品への付け替えに手間取らず簡便に行なうことが出来、クッション品との寸法差による弛み皺や引きつり皺の発生がなく、縫製に手間取らないクッション品装飾保護カバーを提供することを目的とする。
【課題を解決するための手段】
【０００５】
本発明に係るクッション品装飾保護カバーは、（ａ）  パイル織物によって筒状に構成され、筒状空洞にクッション品１１を挿入して使用されるクッション品装飾保護カバーであり、（ｂ）  筒状空洞の左右の端部において弾性糸１２が緯糸として筒状空洞を包囲する方向に向けて一直線状に織込まれており、筒状空洞を包囲する方向に伸縮自在な弾性部１３・２３が筒状空洞の左右の端部に形成されており、（ｃ）  弾性部１３・２３に隣合う部分に筒状空洞を包囲する方向に向けて一直線状に非弾性糸１４が緯糸として織込まれており、その非弾性糸１４が弾性部１３・２３に隣合った非弾性部１５・２５を形成しており、（ｄ）  非弾性糸が筒状空洞を貫通する方向に続く経糸２１として緯糸に直交して織込まれており、（ｅ）  隣合う非弾性部１５・２５と弾性部１３・２３の間で織組織が連続しており、（ｆ）  筒状空洞を貫通する方向に続く非弾性糸に成る経糸２１の一部がパイル１８を形成しており、（ｇ）  その筒状空洞を貫通する方向に続く経糸２１のパイル１８が弾性部１３に突出しており、（ｈ）  緯糸の長さ方向における弾性部１３の弾性伸縮率が非弾性部１５の弾性伸縮率の５倍以上であり、（ｉ）  筒状空洞を包囲する方向における非弾性部１５・２５と弾性部１３・２３との収縮差によって非弾性部１５・２５に皺襞１６が均一に形成されており、（ｊ）  弾性糸が元の長さを回復して非弾性部に皺襞が発生したパイル織物の無緊張状態における非弾性部１５の寸法（Ｈ）が弾性部１３の寸法（Ｄ）の１．７倍〜２．３倍であり、（ｋ）  収縮して弾性部１３に発生した小皺がループパイル１８に覆われており、（ｌ）  非弾性部１５・２５が無パイルの織地になっていることを第１の特徴とする。
【０００６】
本発明に係るクッション品装飾保護カバーの第２の特徴は、上記第１の特徴に加えて、非弾性部１５が弾性部１３の外側に形成されており、その非弾性部１５によって筒状空洞の端縁が縁取られており、その非弾性部１５の皺襞１６が筒状空洞の端縁を縁取るフリル１７を構成している点にある。
【０００７】
本発明に係るクッション品装飾保護カバーの第３の特徴は、上記第１、第２の何れかの特徴に加えて、筒状空洞の左右の端部の弾性部１３と弾性部１３の間に、筒状空洞を包囲する方向に向けて一直線状に非弾性糸１４が織込まれた中間非弾性部２５が形成されている点にある。
【０００８】
本発明に係るクッション品装飾保護カバーの第４の特徴は、上記第１、第２の何れかの特徴に加えて、筒状空洞の左右の端部の弾性部１３と弾性部１３の間に、筒状空洞を包囲する方向に向けて一直線状に非弾性糸１４が織込まれた中間非弾性部２５と、筒状空洞を包囲する方向に向けて一直線状に弾性糸１２が織込まれた中間弾性部２３が、筒状空洞を貫通する方向に交互に平行に並んで形成されており、弾性部１３・２３と非弾性部１５・２５が平行に並んだストライプ模様が描出されている点にある。
【０００９】
本発明に係るクッション品装飾保護カバーの第５の特徴は、上記第１、第２、第３、第４の何れかの特徴に加えて、非弾性部１５・２５にパイル１８が突出している点にある。
【００１０】
本発明に係るクッション品装飾保護カバーの第６の特徴は、上記第１、第２、第３、第４の何れかの特徴に加えて、非弾性部１５・２５が無パイルの織地になっている点にある。
【発明の効果】
【００１１】
本発明（第１の特徴）によると、弾性糸１２が筒状空洞を包囲する方向（以下、周縁方向という。）に向けて一直線状に織込まれており、周縁方向に弾性部１３が弾性的に伸縮して筒状空洞が拡縮するので、筒状空洞へのクッション品の挿入が容易で付け替えに手間取らず、クッション品１１の寸法に縫製上生じたバラツキがあってもそれにフィット（密着）して弛み皺が発生せず、使用中にズレ動くことのないクッション品装飾保護カバーが得られる。そして、弾性部１３が目粗であっても洗濯によって収縮・弛緩し弛み皺や引きつり皺が発生するようなことがなく、目粗で通気性のよい布帛を使用して柔らかく感触のよいクッション品装飾保護カバーを得ることが出来る。更に、周縁方向に弾性的に拡縮するので、周縁方向の寸法が異なる種々のクッション品に適用することが出来る点でも、本発明のクッション品装飾保護カバーは実用的である。
【００１２】
更に、本発明（第１の特徴）によると、弾性部１３の織組織と非弾性部１５の織組織が境目１９において連続しているので、非弾性部１５に周縁方向における弾性部１３との収縮差に応じた皺襞１６が均一に生じて地模様を形成するので、デザイン的にも付加価値の高いクッション品装飾保護カバーが得られる。
【００１３】
本発明（第２の特徴）によると、弾性部１３との収縮差によって非弾性部１５が皺立って筒状空洞の端縁にフリル（襞取り装飾）１７を形成するので、テープ状布帛を襞取りしつつ縫合してフリルを取り付ける縫製手間が省かれ、筒状空洞の拡縮がフリル１７によって阻害されることがなく、そのフリル１７が非弾性部１５によって構成されているので、そのフリル１７に縁取りテープ２０を縫い付けて、装飾性に優れたクッション品装飾保護カバーを効率的に得ることが出来る。
【００１４】
本発明（第３の特徴）によると、肌身に触れ易い中央部が非弾性部２５に占められ、そこに皺襞１６が均一に発生するので、肌触りのよいクッション品装飾保護カバーが得られる。
【００１５】
本発明（第４の特徴）によると、使用中に体重が作用して弾性的に伸びて緊張する弾性部１３・２３と、体重が作用してもただ皺襞１６が拡がるだけで緊張することのない非弾性部１５・２５とが、筒状空洞を貫通する方向（中心線方向）に交互しているので体圧分散性がよく、又、それらがストライプ模様を構成しているので違和感を与えず、それらが皺襞１６の有無によって適度の刺激感を与え、中間非弾性部２５が盛り上がって肌触りがよく立体感に富む美しいクッション品装飾保護カバーが得られる。
【００１６】
本発明（第１と第５の特徴）によると、表面がパイル１８に覆われていて吸湿性が高く蒸れ感を与えず、肌触りがよく汚れ難いクッション品装飾保護カバーが得られる。
【００１７】
本発明（第６の特徴）によると、弾性部１３・２３にも収縮による細かい小皺が発生するが、それがパイル１８に覆われて目立たず、それに比して非弾性部１５・２５の皺襞１６は大きくパイルに覆われることなく露出するので、弾性部１３・２３と非弾性部１５・２５とのコントラストがハッキリして外観上清楚で美しく、弾性部１３・２３が収縮して緻密になり、パイル１８が確り係止されて耐久性に富むクッション品装飾保護カバーが得られる。
【００１８】
編物では、編糸の長さ方向が１８０°変化した編目によって構成されているので、角張った折り目が付き難い。それに対して織物は、経糸と緯糸が一直線状に連続していて組織構造が編物に比して安定しているので、角張った折り目が付き易い。このため本発明によると、織物で構成されていて非弾性部１５・２５に角張ってハッキリした皺襞１６が出来、それがざらついて程よい刺激感を与え、立体感のあるクッション品装飾保護カバーが得られる。
【発明を実施するための最良の形態】
【００１９】
織物では、弾性糸１２と非弾性糸１４を緯糸に用い、それらを経糸の形成する所要の開口に選択的に打ち込んで織成するとよい。
【００２０】
図１に示すクッション品装飾保護カバーは、織物によって構成されており、弾性部１３の緯糸には弾性糸１２だけが使用され、非弾性部１５の緯糸には非弾性糸１４だけが使用されている。しかし、その緯糸の長さ方向における弾性部１３の弾性伸縮率が非弾性部１５の弾性伸縮率の５倍以上になる限りにおいて、弾性部１３と非弾性部１５のそれぞれに弾性糸と非弾性糸を混用することが出来る。その場合、弾性部（１３）に混用された非弾性糸（１４）は、製織後に弾性糸１２が収縮して弾性部（１３）の表面に細かく隆起した小皺を形成することになる。非弾性部（１５）に混用される弾性糸（１２）は、弾性部１３に使用される弾性糸１２に比して弾性伸縮率の低いものとする。その低伸縮率の弾性糸（１２）を非弾性部（１５）に混用すると、製織後の弾性部１３の収縮によって非弾性部１５に生じる皺襞１６の分散性がよく均等になる。従って、図２に示すように、クッション品装飾保護カバーの中心部の広いスペースを占める中間非弾性部２５には、低伸縮率の弾性糸（１２）を混用することが望ましい。図１において、２１は、経糸であり、それには非弾性糸が使用されている。
【００２１】
“製織後の弾性部の収縮”とは、織物の製織過程において、弾性糸１２は強い張力が加えられた伸長状態で織込まれ、弾性部１３は緊張状態にあり、それが織機から取り出されて製織過程での緊張から解かれて収縮し、弾性糸１２が元の長さを回復することを意味する。非弾性部１５の製織後の収縮率は概して１０％以下となり、弾性部１３との収縮差即ち製織後の無緊張状態における弾性部１３との寸法差に応じて非弾性部１５に皺襞１６が発生する。この無緊張状態での寸法差は、非弾性部１５の寸法（Ｈ）が弾性部１３の寸法（Ｄ）の１．２倍以上（Ｈ÷Ｄ≧１．２）になるように、好ましくは２倍以上（Ｈ÷Ｄ≧２）に、概して１．７倍〜２．３倍（Ｈ÷Ｄ＝１．７〜２．３）になるようにするとよい。それは、その寸法差（Ｈ／Ｄ）が１．２倍以下になる場合、非弾性部１５に装飾性のある皺襞１６が発生せず、クッション品に装着した際にクッション品装飾保護カバーがフィットし難くなるためである。
【００２２】
弾性糸１２には、ゴム糸、スパンデックス（ポリウレタン繊維糸条）、ポリエーテル系ポリエステル弾性糸等が使用される。非弾性糸１４には、絹、木綿等の１０％以上の吸湿性を示す親水性繊維糸条を用いるとよく、特に枕カバーのように長時間肌身に触れて使用されるクッション品装飾保護カバーでは、弾性部１３に親水性繊維糸条（２１）を混用し、親水性繊維糸条に成るパイル１８を植設する。クッション品装飾保護カバーには、消臭剤、付香剤、抗菌剤、防汚剤等の機能性薬剤が適宜付与される。
【図面の簡単な説明】
【００２３】
【図１】本発明に係るクッション品装飾保護カバーの斜視図であり、一部を円で囲んで拡大して図示している。
【図２】本発明に係るクッション品装飾保護カバーの斜視図である。
【図３】本発明に係るクッション品装飾保護カバーの斜視図である。
【図４】本発明に係るクッション品装飾保護カバーのクッション品に装着した状態での斜視図である。
【符号の説明】
【００２４】
１１：クッション品
１２：弾性糸
１３：弾性部
１４：非弾性糸
１５：非弾性部
１６：皺襞
１７：フリル
１８：パイル
１９：境目
２０：縁取りテープ
２１：経糸
２３：中間弾性部
２５：中間非弾性部
【図１】
0004788862.tif 000002
【図２】
0004788862.tif 000003
【図３】
0004788862.tif 000004
【図４】
0004788862.tif 000005